(57)【要約】  クロージャを有する容器が開示される。クロージャは、少なくとも、容器の開口部の縁（３１）に恒久的に固定されるように構成されるポリマーオリフィスレデューサ（２４）と、オリフィスレデューサ（２４）の上面に配設される可撓性不正開封防止シール（３０）とを含んでもよい。可撓性不正開封防止シール（３０）、任意選択的に箔は、オリフィスレデューサの１つまたは複数の開口部（２６）を覆う。任意選択的に、オリフィスレデューサと容器縁との間にヒートシールを形成することによって、クロージャを容器に恒久的に固定するためのプロセスも開示される。
2018525287.tif 000002
【特許請求の範囲】
【請求項１】
容器のためのクロージャにおいて、前記容器が前記容器の開口部を囲む縁を有し、前記縁が前記開口部から前記縁の外周まで延在する連続的な環状上係合面を有し、
ａ．ポリマーオリフィスレデューサであって、前記オリフィスレデューサが前記容器の前記縁の上に配設されるように構成され、前記オリフィスレデューサが、下面と、上面と、前記下面から前記上面に通過させる少なくとも１つの小出し開口部とを有し、前記下面が、前記縁の前記上係合面の上に配設されて、前記上係合面に恒久的に固定されるように構成される下向き環状係合面を含む、ポリマーオリフィスレデューサと、
ｂ．前記オリフィスレデューサの前記上面の少なくとも一部の上に配設される可撓性の不正開封防止シールであって、前記シールが第１のシール部と第２のシール部とを含み、前記第１のシール部が、前記下向き係合面の真上の前記オリフィスレデューサの前記上面の少なくとも一部の領域の上に配設され、前記第２のシール部が前記少なくとも１つの小出し開口部を覆い、前記シールが前記オリフィスレデューサより可撓性であり、前記第２のシール部が、前記少なくとも１つの小出し開口部にアクセスするために、前記少なくとも１つの小出し開口部から少なくとも一部において取り除かれる、かつ／または、貫通穴が開けられるように構成され、前記第１のシール部が、前記オリフィスレデューサの前記係合面を前記容器の前記縁の前記上係合面に恒久的に固定するように構成される、可撓性の不正開封防止シールと
を備えるクロージャ。
【請求項２】
前記オリフィスレデューサの、前記下向き係合面と前記下向き係合面の真上の前記オリフィスレデューサの前記上面との間の厚さが、任意選択的に０．１〜０．５ｍｍ、任意選択的に０．５〜１．０ｍｍ、任意選択的に約０．１ｍｍ、任意選択的に約０．２ｍｍ、任意選択的に約０．３ｍｍ、任意選択的に約０．４ｍｍ、任意選択的に約０．５ｍｍ、任意選択的に約０．６ｍｍ、任意選択的に約０．７ｍｍ、任意選択的に約０．８ｍｍ、任意選択的に約０．９ｍｍ、任意選択的に約１．０ｍｍである、請求項１に記載のクロージャ。
【請求項３】
前記可撓性の不正開封防止シールが箔を備える、請求項１または２に記載のクロージャ。
【請求項４】
前記可撓性の不正開封防止シールが、射出成形プロセス中の誘導シーリングまたはインモールドラベリングによってオリフィスレデューサの上面の少なくとも一部に固定される、請求項１〜３のいずれか一項に記載のクロージャ。
【請求項５】
前記オリフィスレデューサの下向き係合面が、前記第１のシール部の少なくとも一部を加熱することによって前記縁の前記上係合面に恒久的に接着されるように構成され、それによって、前記下向き係合面を融解させ、その後、十分に硬化させて、前記オリフィスレデューサを前記縁の前記上係合面に恒久的に接着する、請求項１〜４のいずれか一項に記載のクロージャ。
【請求項６】
前記オリフィスレデューサの前記下面の少なくとも一部に取り付けられたまたは一体である、活性薬剤が混入されたポリマーをさらに備える、
請求項１〜５のいずれか一項に記載のクロージャ。
【請求項７】
前記活性薬剤が混入されたポリマーが、マルチショット射出成形プロセスでオリフィスレデューサ上に射出成形される、請求項６に記載のクロージャ。
【請求項８】
前記活性薬剤が混入されたポリマーが、乾燥剤混入ポリマーである、請求項６または７に記載のクロージャ。
【請求項９】
前記活性薬剤が混入されたポリマーが、ベースポリマーおよび活性薬剤を含む、ベースポリマーおよび活性薬剤から本質的になる、または、ベースポリマーおよび活性薬剤からなる２相ポリマーである、
請求項６〜８のいずれか一項に記載のクロージャ。
【請求項１０】
前記活性薬剤が混入されたポリマーが、ベースポリマーと活性薬剤とチャネリング剤とを含む、ベースポリマーと活性薬剤とチャネリング剤とから本質的になる、または、ベースポリマーと活性薬剤とチャネリング剤とからなる３相ポリマーである、請求項７または８に記載のクロージャ。
【請求項１１】
前記活性薬剤が混入されたポリマーが、前記少なくとも１つの小出し開口部を妨げない、請求項６〜１０のいずれか一項に記載のクロージャ。
【請求項１２】
前記クロージャが、
ａ．任意選択的に、スナップフィット、締まり嵌め、または螺合によって、前記縁の外部および／または前記容器の首部に固定されるのに適した下向き突出スカート、
ならびに／あるいは、
ｂ．任意選択的に、スナップフィット、締まり嵌め、または螺合によって、前記縁の内部および／または前記容器の前記首部に固定されるのに適した下向き突出ストッパ
を含まない、請求項１〜１１のいずれか一項に記載のクロージャ。
【請求項１３】
前記オリフィスレデューサが、少なくとも一部において、熱可塑性樹脂から射出成形される、請求項１〜１２のいずれか一項に記載のクロージャ。
【請求項１４】
前記下向き環状係合面が、前記縁の前記上係合面全体の上に配設されて、前記上係合面に固定されるように構成される、
請求項１〜１３のいずれか一項に記載のクロージャ。
【請求項１５】
前記上部から垂れ下がり、環状境界で終了する環状スカートを有する上部を有するキャップをさらに備え、前記キャップが前記キャップの前記スカート内に内部空間を画定し、前記オリフィスレデューサおよび不正開封防止シールが、前記キャップの前記内部空間内に配設され、前記オリフィスレデューサはどの部分も前記環状境界を越えて延在しない、請求項１〜１４のいずれか一項に記載のクロージャ。
【請求項１６】
前記不正開封防止シールが、前記容器の前記縁の前記上係合面に直接接触できないように構成される、
請求項１〜１５のいずれか一項に記載のクロージャ。
【請求項１７】
ａ．基部と、前記基部から延在して前記容器の前記縁および開口部につながる１つまたは複数の側壁とを有する本体と、
ｂ．請求項１〜１６のいずれか一項に記載のクロージャであって、前記オリフィスレデューサの下向き環状係合面が、前記縁の前記上係合面の上に配設されて、前記上係合面に恒久的に固定される、クロージャと
を備える、容器。
【請求項１８】
前記上部から垂れ下がり、環状境界で終了する環状スカートを有する上部を有するキャップをさらに備え、前記キャップが前記キャップの前記スカート内に内部空間を画定し、前記オリフィスレデューサおよび不正開封防止シールが、前記キャップの前記内部空間内に配設され、前記オリフィスレデューサはどの部分も前記環状境界を越えて延在せず、前記キャップが前記開口部の上に取り外し可能に固定される、請求項１７に記載の容器。
【請求項１９】
前記キャップが、前記キャップを前記容器から取り外すために、単一方向の力を２つ以上前記キャップに加える必要がある子供のいたずら防止機能を備える、請求項１７または１８に記載の容器。
【請求項２０】
前記キャップが、外キャップ内に固定される内キャップを備えるキャップ組立体であり、前記キャップ組立体が子供のいたずら防止機能を提供するように構成される、請求項１７〜１９のいずれか一項に記載の容器。
【請求項２１】
前記容器が、前記オリフィスレデューサを前記本体に恒久的に固定する前に内容物で予め充填され、そのような内容物が任意選択的に、
ａ．複数の医薬用または機能性食品用錠剤、カプセル、ジェルキャップ、顆粒、または丸薬、
あるいは、
ｂ．医薬用または機能性食品用粉末または液体、
あるいは、
ｃ．錠剤、顆粒、粉末、または液体の形態の工業用または洗浄用化学薬品、
あるいは、
ｄ．粉末、液体、または複数の固体単位の形態の食料品
を含む、請求項１７〜２０のいずれか一項に記載の容器。
【請求項２２】
ヒートシールが、前記オリフィスレデューサを前記容器に恒久的に接着するために、前記オリフィスレデューサの前記下向き環状係合面と前記縁の前記上係合面との間に設けられ、任意選択的に、前記ヒートシールが、前記オリフィスレデューサを前記容器に恒久的に固定するための唯一の手段である、請求項１７〜２１のいずれか一項に記載の容器。
【請求項２３】
前記オリフィスレデューサの前記下向き環状係合面が前記縁の前記上係合面に、それらの間に別の接着材料を用いずに恒久的に接着される、請求項１７〜２２のいずれか一項に記載の容器。
【請求項２４】
前記第１のシール部が、誘導シーリングによって加熱されるとき、前記下向き係合面を融解させ、その後、十分に硬化させて、前記オリフィスレデューサを前記縁の前記上係合面に恒久的に接着する箔を備える、請求項１７〜２３のいずれか一項に記載の容器。
【請求項２５】
ａ．基部と、前記基部から延在して容器の開口部を囲む縁につながる１つまたは複数の側壁とを有する本体であって、前記縁が、前記開口部から前記縁の外周まで延在する連続的な環状上係合面を有する、本体と、
ｂ．クロージャであって、
ｉ．ポリマーオリフィスレデューサであって、前記オリフィスレデューサが前記容器の前記縁の上に配設され、前記オリフィスレデューサが、下面と、上面と、前記下面から前記上面に通過させる少なくとも１つの小出し開口部とを有し、前記下面が、前記縁の前記上係合面全体の上に配設されて、前記上係合面に恒久的に固定される下向き環状係合面を含む、ポリマーオリフィスレデューサと、
ｉｉ．前記オリフィスレデューサの前記上面の少なくとも一部の上に配設されて、前記少なくとも１つの小出し開口部を覆う可撓性の不正開封防止シールであって、前記シールが前記オリフィスレデューサより可撓性であり、前記シールが、前記少なくとも１つの小出し開口部にアクセスするために、前記少なくとも１つの小出し開口部から少なくとも一部において取り除かれる、かつ／または、貫通穴が開けられるように構成される、可撓性の不正開封防止シールと
を備えるクロージャと
を備える、容器。
【請求項２６】
前記可撓性の不正開封防止シールが第１のシール部と第２のシール部とを含み、前記第１のシール部が、前記下向き係合面の真上の前記オリフィスレデューサの前記上面の少なくとも一部の領域の上に配設され、前記第２のシール部が前記少なくとも１つの小出し開口部を覆い、前記第１のシール部が、前記オリフィスレデューサの前記係合面を、前記容器の前記縁の前記上係合面に恒久的に固定する、請求項２５に記載の容器。
【請求項２７】
前記オリフィスレデューサの、前記下向き係合面と前記下向き係合面の真上の前記オリフィスレデューサの前記上面との間の厚さが、任意選択的に０．１〜０．５ｍｍ、任意選択的に０．５〜１．０ｍｍ、任意選択的に約０．１ｍｍ、任意選択的に約０．２ｍｍ、任意選択的に約０．３ｍｍ、任意選択的に約０．４ｍｍ、任意選択的に約０．５ｍｍ、任意選択的に約０．６ｍｍ、任意選択的に約０．７ｍｍ、任意選択的に約０．８ｍｍ、任意選択的に約０．９ｍｍ、任意選択的に約１．０ｍｍである、請求項２５または２６に記載の容器。
【請求項２８】
前記オリフィスレデューサの前記下向き係合面が、前記第１のシール部の少なくともいくつかを加熱することによって、前記縁の前記上係合面に恒久的に接着され、それによって、前記下向き係合面を融解させ、その後、十分に硬化させて、前記オリフィスレデューサを前記縁の前記上係合面に恒久的に接着する、請求項２５〜２７のいずれか一項に記載の容器。
【請求項２９】
前記オリフィスレデューサの前記下面の少なくとも一部に取り付けられたまたは一体である、活性薬剤が混入されたポリマーをさらに備える、請求項２５〜２８のいずれか一項に記載の容器。
【請求項３０】
前記クロージャが、
ａ．任意選択的に、スナップフィット、締まり嵌め、または螺合によって、前記縁の外部および／または前記容器の首部に固定されるのに適した下向き突出スカート、
ならびに／あるいは、
ｂ．任意選択的に、スナップフィット、締まり嵌め、または螺合によって、前記縁の内部および／または前記容器の前記首部に固定されるのに適した下向き突出ストッパ
を含まない、請求項２５〜２９のいずれか一項に記載の容器。
【請求項３１】
前記オリフィスレデューサが、少なくとも一部において、熱可塑性樹脂から射出成形される、請求項２５〜３０のいずれか一項に記載の容器。
【請求項３２】
前記不正開封防止シールが、前記容器の前記縁の前記上係合面に直接接触しない、請求項２５〜３１のいずれか一項に記載の容器。
【請求項３３】
前記上部から垂れ下がり、環状境界で終了する環状スカートを有する上部を有するキャップをさらに備え、前記キャップが前記キャップの前記スカート内に内部空間を画定し、前記オリフィスレデューサおよび不正開封防止シールが、前記キャップの前記内部空間内に配設され、前記オリフィスレデューサはどの部分も前記環状境界を越えて延在せず、前記キャップが前記開口部の上に取り外し可能に固定される、請求項２５〜３２のいずれか一項に記載の容器。
【請求項３４】
前記キャップが、前記キャップを前記容器から取り外すために、単一方向の力を２つ以上前記キャップに加える必要がある子供のいたずら防止機能を備える、請求項２５〜３３のいずれか一項に記載の容器。
【請求項３５】
前記容器が、前記オリフィスレデューサを前記本体に恒久的に固定する前に内容物で予め充填され、そのような内容物が任意選択的に、
ａ．複数の医薬用または機能性食品用錠剤、カプセル、ジェルキャップ、顆粒、または丸薬、
あるいは、
ｂ．医薬用または機能性食品用粉末または液体、
あるいは、
ｃ．錠剤、顆粒、粉末、または液体の形態の工業用または洗浄用化学薬品、
あるいは、
ｄ．粉末、液体、または複数の固体単位の形態の食料品
を含む、請求項２５〜３４のいずれか一項に記載の容器。
【請求項３６】
ヒートシールが、前記オリフィスレデューサを前記容器に恒久的に接着するために、前記オリフィスレデューサの前記下向き環状係合面と前記縁の前記上係合面との間に設けられ、任意選択的に、前記ヒートシールが、前記オリフィスレデューサを前記容器に恒久的に固定するための唯一の手段である、請求項２５〜３５のいずれか一項に記載の容器。
【請求項３７】
前記オリフィスレデューサの前記下向き環状係合面が前記縁の前記上係合面に、それらの間に別の接着材料を用いずに恒久的に接着される、請求項２５〜３６のいずれか一項に記載の容器。
【請求項３８】
前記第１のシール部が、誘導シーリングによって加熱されるとき、前記下向き係合面を融解させ、その後、十分に硬化させて、前記オリフィスレデューサを前記縁の前記上係合面に恒久的に接着する箔を備える、請求項２５〜３７のいずれか一項に記載の容器。
【請求項３９】
ａ．上部から垂れ下がり、環状境界で終了する環状スカートを有する上部を有するキャップであって、前記キャップが前記キャップの前記スカート内に内部空間を画定する、キャップと、
ｂ．ポリマーオリフィスレデューサであって、前記オリフィスレデューサが容器の縁および開口部の上に配設されるように構成され、前記オリフィスレデューサが、下面と、上面と、前記下面から前記上面に通過させる少なくとも１つの小出し開口部とを有し、前記下面が、前記縁の上係合面の上に配設されて、前記上係合面に恒久的に固定されるように構成される下向き環状係合面を含み、前記オリフィスレデューサが前記キャップの前記内部空間内に配設され、前記オリフィスレデューサの前記上面が前記キャップの前記上部に面し、前記オリフィスレデューサはどの部分も前記キャップの前記環状境界を越えて延在しない、ポリマーオリフィスレデューサと、
ｃ．前記オリフィスレデューサの前記上面の少なくとも一部の上に配設される可撓性の不正開封防止シールであって、前記シールが第１のシール部と第２のシール部とを含み、前記第１のシール部が、前記下向き係合面の真上の前記オリフィスレデューサの前記上面の少なくとも一部の領域の上に配設され、前記第２のシール部が前記少なくとも１つの小出し開口部を覆い、前記シールが前記オリフィスレデューサより可撓性であり、前記第２のシール部が、前記少なくとも１つの小出し開口部から少なくとも一部において取り除かれる、かつ／または、前記少なくとも１つの小出し開口部にアクセスするために貫通穴が開けられるように構成され、前記第１のシール部が、前記オリフィスレデューサの前記係合面を融解させて、その後、硬化させるように、誘導シーリングプロセス中に加熱されるように構成される材料を備え、前記容器の前記縁の前記上係合面に恒久的に接着するように前記オリフィスレデューサの前記係合面を構成する、可撓性の不正開封防止シールと
を備える、容器のためのクロージャ。
【請求項４０】
前記第１のシール部が、前記オリフィスレデューサの前記上面を越えて径方向に延在しない、請求項３９に記載のクロージャ。
【請求項４１】
前記オリフィスレデューサの、前記下向き係合面と前記下向き係合面の真上の前記オリフィスレデューサの前記上面との間の厚さが、任意選択的に０．１〜０．５ｍｍ、任意選択的に０．５〜１．０ｍｍ、任意選択的に約０．１ｍｍ、任意選択的に約０．２ｍｍ、任意選択的に約０．３ｍｍ、任意選択的に約０．４ｍｍ、任意選択的に約０．５ｍｍ、任意選択的に約０．６ｍｍ、任意選択的に約０．７ｍｍ、任意選択的に約０．８ｍｍ、任意選択的に約０．９ｍｍ、任意選択的に約１．０ｍｍである、請求項３９または４０に記載のクロージャ。
【請求項４２】
前記オリフィスレデューサの前記下面の少なくとも一部に取り付けられたまたは一体である、活性薬剤が混入されたポリマーをさらに備え、前記オリフィスレデューサが射出成形ポリマーであり、前記活性薬剤が混入されたポリマーが任意選択的に、マルチショット射出成形プロセスで前記オリフィスレデューサ上に射出成形される、請求項３９〜４１のいずれか一項に記載のクロージャ。
【請求項４３】
前記クロージャが、
ａ．任意選択的に、スナップフィット、締まり嵌め、または螺合によって、前記縁の外部および／または前記容器の首部に固定されるのに適した下向き突出スカート、
ならびに／あるいは、
ｂ．任意選択的に、スナップフィット、締まり嵌め、または螺合によって、前記縁の内部および／または前記容器の前記首部に固定されるのに適した下向き突出ストッパ
を含まない、請求項３９〜４２のいずれか一項に記載のクロージャ。
【請求項４４】
前記キャップが、外キャップ内に固定される内キャップを備えるキャップ組立体であり、前記キャップ組立体が子供のいたずら防止機能を提供するように構成される、請求項３９〜４３のいずれか一項に記載のクロージャ。
【請求項４５】
ａ．基部と、前記基部から延在して容器の開口部を囲む縁につながる１つまたは複数の側壁とを有する本体を備える前記容器を提供するステップであって、前記縁が、前記開口部から前記縁の外周まで延在する連続的な環状上係合面を有する、提供するステップと、
ｂ．前記開口部を通して前記容器に内容物を充填するステップと、
ｃ．ステップ（ｂ）の後、前記下向き環状係合面が前記縁の前記上係合面の上に配設されるように、請求項１〜１６または３９〜４４のいずれか一項に記載の前記クロージャを前記容器の前記縁および開口部の上に配置するステップと、
ｄ．ステップ（ｃ）の後、前記オリフィスレデューサを前記容器に恒久的に接着するために、前記オリフィスレデューサの前記下向き環状係合面と前記縁の前記上係合面との間にヒートシールを形成するステップと
を含む、容器を充填および密封するためのプロセス。
【請求項４６】
前記ヒートシールが、前記第１のシール部の少なくとも一部を加熱することによって形成され、それによって、前記下向き係合面を融解させ、その後、十分に硬化させて、前記オリフィスレデューサを前記縁の前記上係合面に恒久的に接着する、請求項４５に記載のプロセス。
【請求項４７】
前記ヒートシールが、前記組み立てたクロージャおよび容器に誘導シーリングプロセスを受けさせることによって形成される、請求項４５または４６に記載のプロセス。
【請求項４８】
前記オリフィスレデューサの前記下向き環状係合面が前記縁の前記上係合面に、それらの間に別の接着材料を用いずに恒久的に接着される、請求項４５〜４７のいずれか一項に記載のプロセス。
【請求項４９】
前記クロージャが、
ａ．任意選択的に、スナップフィット、締まり嵌め、または螺合によって、前記縁の外部および／または前記容器の首部に固定される下向き突出スカート、
ならびに／あるいは、
ｂ．任意選択的に、スナップフィット、締まり嵌め、または螺合によって、前記縁の内部および／または前記容器の前記首部に固定される下向き突出ストッパ
を含まない、請求項４５〜４８のいずれか一項に記載のプロセス。
【請求項５０】
前記不正開封防止シールが、前記容器の前記縁の前記上係合面に直接接触しない、請求項４５〜４９のいずれか一項に記載のプロセス。
【請求項５１】
前記クロージャが、請求項３９〜４４のいずれか一項に記載のクロージャであり、ステップ（ｃ）がふた付け機によって実行され、その後、前記容器が、任意選択的にコンベヤによって、ステップ（ｄ）を実行する誘導シーラーへ移送される、請求項４５〜５０のいずれか一項に記載のプロセス。
【請求項５２】
前記ヒートシールが、前記オリフィスレデューサを前記容器に恒久的に固定するための唯一の手段である、請求項４５〜５１のいずれか一項に記載のプロセス。
【請求項５３】
ａ．前記ポリマーオリフィスレデューサに、前記オリフィスレデューサの前記上面に固定される前記可撓性不正開封防止シールを提供するステップであって、前記可撓性不正開封防止シールが、インモールドラベリングおよび／または誘導シーリングによって前記オリフィスレデューサの前記上面に事前に固定されている、提供するステップと、
ｂ．ステップ（ａ）の後、前記オリフィスレデューサを前記キャップの前記内部空間に圧入するステップと
を含む、
あるいは、
ａａ．前記ポリマーオリフィスレデューサに、前記オリフィスレデューサの前記上面に配設されるが最初は固定されない前記可撓性不正開封防止シールを提供するステップと、
ｂｂ．ステップ（ａａ）の後、前記オリフィスレデューサを前記キャップの前記内部空間に圧入するステップと、
ｃｃ．前記可撓性不正開封防止シールを前記オリフィスレデューサの前記上面に恒久的に固定するために、前記クロージャに誘導シーリングを受けさせるステップと
を含む、請求項３９〜４４のいずれか一項に記載のクロージャを製造するためのプロセス。
【請求項５４】
ステップ（ａａ）および（ｂｂ）が実行された後、
ｄｄ．基部と、前記基部から延在して容器の開口部を囲む縁につながる１つまたは複数の側壁とを有する本体を備える前記容器を提供するステップであって、前記縁が、前記開口部から前記縁の外周まで延在する連続的な環状上係合面を有する、提供するステップと、
ｅｅ．前記下向き環状係合面が前記縁の前記上係合面の上に配設されるように、前記クロージャを前記容器の前記縁および開口部の上に配置するステップと
をさらに含み、
ステップ（ｃｃ）がステップ（ｅｅ）の後にのみ実行されて、それにより、前記クロージャに誘導シーリングを受けさせることが、前記オリフィスレデューサの前記下向き係合面を、前記容器の前記縁の前記上係合面に恒久的に接着する、請求項５３に記載のプロセス。
【発明の詳細な説明】
【技術分野】
【０００１】
関連出願の相互参照
本出願は、２０１５年８月１７日に出願の米国仮特許出願第６２／２０５，９７９号明細書および２０１６年４月２２日に出願の米国仮特許出願第６２／３２６，０７８号明細書の優先権を主張し、その両方が、あらゆる目的のため、参照によりその全体が本明細書に組み込まれる。
【０００２】
本発明は、製品の保存および不正開封防止のための可撓性シール（たとえば、箔）、ならびに製品を小出しにするためのオリフィスレデューサを有する容器に関する。本発明は、たとえば、医薬品および機能性食品（たとえば、錠剤、カプセル、および液体）、食品（たとえば、香辛料の瓶）、ならびに、薬品供給（たとえば、プールまたは洗浄用化学薬品）を含む、多くの異なる用途および業界のために使用されてもよい。考えられる製品の形態は、とりわけ、液体、錠剤、カプセル、ペレット、粉末、顆粒、およびその他の小さな固体単位を含む。
【背景技術】
【０００３】
たとえば、錠剤およびカプセルのための商用薬剤容器は、通常、取り外し可能なキャップを有するプラスチック瓶として提供される（多くの場合、いくつかの種類の子供のいたずら防止構成を有する）。たとえば、店頭販売される（ＯＴＣ）鎮痛剤、抗アレルギー薬、ならびに機能性食品およびビタミンは、多くの場合、そのような瓶で提供される。通常、瓶の内容物が不正に変更されていないことを購入者に保証するために、可撓性シール（通常、箔、紙、可撓性／薄肉プラスチック、厚紙、または上記のうちの１つまたは複数のものの複合物から構成される）により、容器の開口部に密閉された気密シールが提供される。使用者が容器の内容物へのアクセスを初めて望んだときに、使用者は、シールに恒久的な穴を開けてもよく、または、シールを少なくとも一部、取り外してもよい。無傷のシールは、容器の内容物を周囲環境から保護し、容器に不正が行われていないことを使用者に視覚的に示す。
【０００４】
容器の内容物の性質に応じて、容器内の環境を制御するために乾燥剤または他の活物質を必要とすることがある。通常、乾燥剤は、乾燥剤を含む小袋または円筒状容器の形態で提供され、容器の本体内に容器の内容物とともに自由に置かれている。
【０００５】
上記のような容器（たとえば、瓶）は、通常、自動化された処理を介して充填される。次いで、不正開封防止シール（たとえば、箔）が充填後の容器に適用される。たとえば、接着剤または加熱などによる、シールを固定するさまざまな方法および手段が知られている。シールを適用するための最も一般的な方法は、誘導シーリングによる方法である。誘導シーリングは、熱を発生させるために、材料（たとえば、箔）内の電流に基づくプロセスである。誘導シーリングは、電気エネルギ源、誘導コイル、および電気伝導性ターゲット材料（加熱される材料、通常は箔シール自体）を必要とする。電気が誘導コイルを通過すると、コイルのまわりに電磁場が生成される。ターゲット材料（たとえば、箔シール）が電磁場にさらされると、ターゲット材料内に渦電流が発生し、抵抗損によりターゲット材料が加熱する。ターゲット材料からの熱は、隣接するプラスチック材料（たとえば、瓶開口部のプラスチック縁）に転送され、プラスチックを軟化させて、箔に融合させる。ターゲット材料（箔）と結合されたプラスチック材料（瓶開口部の縁）は、冷却時、ヒートシールを形成する。
【発明の概要】
【発明が解決しようとする課題】
【０００６】
標準的な瓶の欠点の１つは、不正開封防止シールを取り外してしまうと、単一の錠剤／カプセルを取り出すために瓶を傾けたときに、多くの場合、いくつかの錠剤／カプセルが一度に出てきてしまうほど、開口部が通常は非常に大きい（たとえば、１インチ程度）ことである。同様の問題は、液体または粉末の内容物を有するそのような瓶でも起こる可能性があり、非常に多くの液体または粉末が一度に出てしまうことがある。あるいは、使用者は、単一の錠剤／カプセルを取り出すために、瓶の中に指を伸ばすことができ、それによって、瓶の内容物が汚染されてしまう。したがって、業界は、１回につき、単一の錠剤／カプセルまたはわずかな数だけの錠剤／カプセル（あるいは、少量の液体／粉末）を取り出すことを容易にする小出し手段への関心を有している。
【０００７】
さまざまな小出し手段がこれまでに提案されているが、それらは多くの場合、複雑で製造コストのかかる可動部分（たとえば、ばね、アクチュエータなど）を含み、かつ／または、製造時の課題が存在し、特に、不正開封防止シールおよび小出し手段の両方を充填された瓶に適用することが望ましいときにそうである。たとえば、食品業界においては、香辛料の容器は通常、箔シールが縁に誘導シーリングされた後に瓶縁上に個別に構築および圧入されるオリフィスレデューサを含む。この構成は、計器で用量を選択して製品を使うためには、オリフィスレデューサの一時的な取り外し、シールの剥離または穴開け、その後のオリフィスレデューサの瓶への再取付けが使用者に必要とされる。
【０００８】
たとえば、所望の目的を達成するための１つの課題は、瓶の製造および充填方法に関する。単一の錠剤／カプセルを出すことまたは少数を小出しにすることを容易にする構造を提供することにおける選択肢は、容器の口または開口部にオリフィスレデューサを含むことである。オリフィスレデューサは、容器に対して開口部の全部ではなく一部を遮断する構造である。容器が予め充填される場合、充填前に所定の位置にオリフィスレデューサを有することは、一般に、実用的ではないまたは可能ではないが、それは、オリフィスレデューサが容器開口部の一部または大部分をふさぐためである。
【０００９】
したがって、簡単に製造できる錠剤／カプセル小出し機能を全体として有し、不正開封防止シールも有する瓶または容器の必要性が存在している。
【課題を解決するための手段】
【００１０】
よって、１つの態様において、本発明は、容器のためのクロージャに関する。容器は、容器の開口部を囲む縁を有し、縁は、開口部から縁の外周まで延在する連続的な環状上係合面を有する。クロージャは、ポリマーオリフィスレデューサを含む。オリフィスレデューサは、容器の縁の上に配設されるように構成される。オリフィスレデューサは、下面と、上面と、下面から上面に通過させる少なくとも１つの予め形成された小出し開口部とを有する。任意選択の実施形態において、オリフィスレデューサは、２つ以上の予め形成された小出し開口部を有してもよく、複数の３つ以上のそのような開口部を含む。下面は、縁の上係合面の上に配設されて、上係合面に恒久的に固定されるように構成される下向き環状係合面を含む。可撓性の不正開封防止シールは、オリフィスレデューサの上面の少なくとも一部の上に配設され、シールは、第１のシール部と第２のシール部とを含む。第１のシール部は、下向き係合面の真上のオリフィスレデューサの上面の少なくとも一部の領域の上にある。第２のシール部は、少なくとも１つの小出し開口部を覆い、ここで、シールはオリフィスレデューサより可撓性であり、第２のシール部は、少なくとも１つの小出し開口部にアクセスするために、少なくとも１つの小出し開口部から少なくとも一部において取り除かれる、かつ／または、貫通穴が開けられるように構成される。第１のシール部は、オリフィスレデューサの係合面を容器の縁の上係合面に恒久的に固定するように構成される。
【００１１】
別の態様において、本発明は、容器に関する。容器は、基部と、基部から延在して容器の開口部を囲む縁につながる１つまたは複数の側壁とを有する本体を含む。縁は、開口部から縁の外周まで延在する連続的な環状上係合面を有する。容器は、クロージャをさらに含む。クロージャは、ポリマーオリフィスレデューサを含み、オリフィスレデューサは、容器の縁の上に配設される。オリフィスレデューサは、下面と、上面と、下面から上面に通過させる少なくとも１つの小出し開口部とを有する。下面は、縁の上係合面全体の上に配設されて、上係合面に恒久的に固定される下向き環状係合面を含む。クロージャは、オリフィスレデューサの上面の少なくとも一部の上に配設されて、少なくとも１つの小出し開口部を覆う可撓性の不正開封防止シールをさらに含み、ここで、シールはオリフィスレデューサより可撓性であり、シールは、少なくとも１つの小出し開口部から少なくとも一部において取り除かれる、かつ／または、少なくとも１つの小出し開口部にアクセスするために貫通穴が開けられるように構成される。
【００１２】
別の態様において、本発明は、容器のためのクロージャに関する。クロージャは、上部から垂れ下がり、環状境界で終了する環状スカートを有する上部を有するキャップを含む。キャップは、キャップのスカート内に内部空間を画定する。クロージャは、ポリマーオリフィスレデューサをさらに含む。オリフィスレデューサは、容器の縁および開口部の上に配設されるように構成される。オリフィスレデューサは、下面と、上面と、下面から上面に通過させる少なくとも１つの小出し開口部とを有する。下面は、縁の上係合面の上に配設されて、上係合面に恒久的に固定されるように構成される下向き環状係合面を含む。オリフィスレデューサはキャップの内部空間内に配設され、オリフィスレデューサの上面はキャップの上部に面する。オリフィスレデューサはどの部分もキャップの環状境界を越えて延在しない。クロージャは、オリフィスレデューサの上面の少なくとも一部の上に配設される可撓性の不正開封防止シールをさらに含み、シールは、第１のシール部と第２のシール部とを含む。第１のシール部は、下向き係合面の真上のオリフィスレデューサの上面の少なくとも一部の領域の上に配設され、第２のシール部は、少なくとも１つの小出し開口部を覆い、ここで、シールはオリフィスレデューサより可撓性であり、第２のシール部は、少なくとも１つの小出し開口部から少なくとも一部において取り除かれる、かつ／または、少なくとも１つの小出し開口部にアクセスするために貫通穴が開けられるように構成され、第１のシール部は、オリフィスレデューサの係合面を融解させて、その後、硬化させるように、誘導シーリングプロセス中に加熱されるように構成される材料を備え、容器の縁の上係合面に恒久的に接着するようにオリフィスレデューサの係合面を構成する。
【００１３】
任意選択的に、本発明による射出成形ポリマーオリフィスレデューサは、厚さが変わってもよく、計量オリフィスに適合するために、１つまたは複数の部品で構築されてもよい。たとえば、そのような構成により、使用者は、オリフィスレデューサの一部分を手動で押すまたは回転させて小出し開口部を拡大または縮小させ、所望の計量供給速度を提供することができる。任意選択的に、（たとえば、液体または粉末について）、小出し開口部は、不正開封防止シールを取り外した後に内容物を注ぐために上方に持ち上げることができる、可動式円筒状注出口などの注出口を固定するための選択肢を含んでもよい。任意選択的に、射出成形オリフィスレデューサは、可撓性シールからの物理的分離を可能にするために、容器開口部より下に凹ませてもよい。任意の実施形態について、オリフィスレデューサの頂面は、使用者が箔を取り外した後にオリフィスの再シールを可能とするために、小さいフリップトップヒンジを含んでもよい。このような再閉可能なオリフィスレデューサは、容器の製品の保存期間を延ばすことができる。任意選択的に、前述の任意選択の実施形態のうちの２つ以上を組み合わせることができる。たとえば、フリップトップ式の再シール可能なふたが、射出成形ポリマーオリフィスレデューサの小出し開口部に恒久的に取り付けられてもよく、それは不正開封防止可撓性シールが取り外された後に再密封することができる。オリフィスレデューサが容器開口部より下に凹まされる場合、このような再シール可能なふたは、誘導シーリングまたはインモールドラベリング中、不正開封防止可撓性シールに接触しない。
【００１４】
本発明は、同様の参照番号が同様の要素を示す以下の図面とともに説明される。
【図面の簡単な説明】
【００１５】
【図１】図１は、瓶の形態の容器の一部切り欠き斜視図であり、例示的なクロージャが本発明の実施形態によるオリフィスレデューサを備える。
【図２】図２は、図１の容器の分解斜視図である。
【図３】図３は、図１の例示的なオリフィスレデューサを有する容器の頂部の断面図である。
【図３Ａ】図３Ａは、クロージャを容器の本体より上に配置した容器の頂部の断面図である。
【図４Ａ】図４Ａは、その下面に成形される乾燥剤ポリマーを有する例示的なオリフィスレデューサの斜視図である。
【図４Ｂ】図４Ｂは、その下面に乾燥剤ポリマーを有しない例示的なオリフィスレデューサの斜視図である。
【図４Ｃ】図４Ｃは、例示的なオリフィスレデューサの上面に配設される可撓性不正開封防止シールを備える、本発明の任意選択の実施形態によるクロージャの斜視図であり、不正開封防止シールの第１のおよび第２のシール部は隣接していない。
【図５】図５は、例示的な容器の部分斜視図を示し、オリフィスレデューサは、そこから取り外される可撓性シールを有する。
【図６】図６は、図５の切断線６−６に沿ってとられた断面図である。
【図７】図７は、任意選択の実施形態に従って容器を充填および密封するためのプロセスの一部として容器を密封するためにプロセスで使用されてもよい機器の概略図である。
【発明を実施するための形態】
【００１６】
ここで同様の参照番号が同様の部分を指す図面のさまざまな図を詳細に参照すると、容器に恒久的に固定される例示的なオリフィスレデューサ２４を有する、瓶の形態の容器１０のさまざまな図が図１〜３に示される。瓶１０は、本発明とともに使用されてもよい１つの考えられる種類の容器であるが、他の種類の容器も考えられる。用語「瓶」が例示的な実施形態を説明するために使用される場合、より広く、より一般的な用語「容器」もその状況で使用してもよいことは理解されるべきである。
【００１７】
例示的な実施形態による容器１０は、基部６２を有する本体６６と、基部６２から延在して容器の開口部２８を囲む縁３１につながる１つまたは複数の側壁６４とを含む。示される実施形態は円筒状であり、したがって、丸く単一の側壁６４を有する。しかしながら、本発明による容器は、他の形状、たとえば、四角い直方体でもよく、したがって、１つ以上の連続的な（たとえば、丸い）側壁を有する。たとえば、図３Ａに示すように、縁３１は開口部２８を囲み、開口部２８から縁３１の外周４２まで延在する連続的な環状上係合面４０を有する。
【００１８】
オリフィスレデューサ２４は、クロージャ１４の構成要素である。クロージャ１４は、オリフィスレデューサ２４上に配設される取り外し可能な（たとえば、剥離で）および／または穴開け可能な可撓性不正開封防止シール３０を少なくとも含む。クロージャ１４はまた、上記の構成要素の上を閉じて覆うキャップを好ましくは含む（追加で挿入される構成要素の有無にかかわらず）。図１〜３に示す実施形態において、クロージャ１４は、取り外し可能なキャップ組立体１７を任意選択的に含む。キャップ組立体１７は、外キャップ１６の下面内に固定される内キャップ１８を備え、ここで、内キャップ１８は、子供が容器１０を簡単に開けることを防ぐために、外キャップ１６と協働し、それによって、子供のいたずら防止機能または特徴を提供する。内キャップ１８の下面は、容器１０の首部１２の雄ねじ１３と係合する雌ねじ１５を含み、それにより、キャップを容器１０の本体６６に取り外し可能に固定することが可能である。
【００１９】
代替的な任意選択の実施形態において、キャップは、内キャップのない単一ユニット、たとえば、外キャップ１６のみでもよい。本明細書で使用される場合、用語「キャップ」それ自体で、文脈に応じて、一体構造のキャップ、キャップ組立体（たとえば、１７）、またはその両方を指してもよい。任意選択的に、本発明によるキャップは、ねじぶた、フリップトップ、押し下げスナップ式係合、または圧入型係合などとして具現化されてもよい。任意選択的に、キャップは、容器上で閉じられるときに、キャップと容器との間に湿密シールを提供する。
【００２０】
図３Ａで最もよく分かるように、キャップ（たとえば組立体）１７は、上部から垂れ下がり、環状境界５８で終了する環状スカート５６を有する上部５４を備える。キャップ１７は、キャップ１７のスカート５６内に内部空間６０を画定する。
【００２１】
特定の用途のために、子供のいたずら防止付キャップが望ましいことがあるが、すべての用途で必要ということではない。したがって、子供のいたずら防止付キャップおよび子供のいたずら防止無キャップが考えられる。たとえば、キャップ組立体１７によって提供されるような、子供のいたずら防止付キャップが提供される場合、子供のいたずら防止のための特徴は、キャップを容器から取り外すために、単一方向の力を２つ以上キャップに加えることを任意選択的に必要とする。たとえば、キャップ組立体１７は、キャップを容器から取り外すために、使用者が、キャップを下向き（第１の方向）に押してから、回転（第２の方向）させることが必要な場合がある。代替的な子供のいたずら防止のための特徴も、必要に応じて考えられる。
【００２２】
示すように、クロージャ１４は、パルプ裏材２０を任意選択的に含み、パルプ裏材２０は、パルプ裏材２０に当接する、内キャップ１８の下面およびワックス層２２と係合する。任意選択的に、ワックスの代替案としての他の層が考えられ、それは一時的にパルプ裏材を箔に接着する。
【００２３】
ポリマーオリフィスレデューサ２４は、少なくとも一部において、射出成形熱可塑性樹脂から任意選択的に形成されてもよい。オリフィスレデューサ２４は、下面４４と、上面４６と、下面４４から上面４６に通過させる少なくとも１つの予め形成された小出し開口部２６とを有する。下面４４は、容器１０の縁３１の上係合面４０上に直接、配設される下向き環状係合面４８を有し、上係合面４０に恒久的に固定、たとえば接着される。オリフィスレデューサ２４は、容器開口部２８の少なくとも一部を覆って、ふさぐ。少なくとも１つの小出し開口部２６の領域は、容器開口部２８の全領域より小さい。小出し開口部２６は、容器１０内に含まれる単位の形状およびサイズに応じて、その特定の使用のために形状およびサイズをカスタマイズしてもよい。小出し開口部２６は、たとえば、容器１０に保持される医薬用または栄養補助食品用錠剤またはカプセルの、個々の単位または少量の単位の順序づけられた単純な小出しを容易にする。小出し開口部２６は代わりに、容器１０に保持される少量の液体または粉末の順序づけられた小出しを容易にすることができる。粉末、顆粒、または他の非常に小さい固体単位を小出しにするために、オリフィスレデューサは、単一の小さな小出し開口部、または複数の単一の小さな小出し開口部を有してもよい（たとえば、香辛料瓶のように）。
【００２４】
オリフィスレデューサ２４は好ましくは、たとえばポリエチレンまたはポリプロピレンなどの射出成形プラスチックから製造される。任意選択的に、オリフィスレデューサ２４は約０．２０ｍｍの厚さを有し、それは意図されるような使用の間の穴あきまたは損傷に抵抗するのに十分厚く、しかし、（可撓性シール３０より可撓性ではないが）わずかに可撓性でもよい。あるいは、オリフィスレデューサは、半硬質または硬質であり、０．１ｍｍ〜０．５ｍｍ、または０．５ｍｍ〜１ｍｍ、または１ｍｍより大きい厚さを有するように構築される。
【００２５】
１つの任意選択の実施形態において、オリフィスレデューサ２４は均一な厚さを有する。あるいは、オリフィスレデューサ２４は、第１の厚さＸと第２の厚さＹとを有してもよい。好ましくは実質的に均一である第１の厚さＸは、上面４６と下向き環状係合面４８との間で、上面４６の真下に位置する。第１の厚さは、好ましくは０．１ｍｍ〜０．５ｍｍであり、最も好ましくは０．１５ｍｍ〜０．３５ｍｍである。第２の厚さＹは、その任意の部分におけるオリフィスレデューサ２４の厚さであり、下向き環状係合面４８から半径方向内向きに位置する。第２の厚さＹは均一でもよく、または変化してもよい（すなわち、２つ以上の厚さを含んでもよい）。オリフィスレデューサの剛性の所望のレベルを提供するように、第２の厚さＹは第１の厚さＸより大きくなければならない。たとえば、第１の厚さは０．２５ｍｍでもよく、一方、第２の厚さは１ｍｍまたは２ｍｍでもよい。オリフィスレデューサ２４がキャップ１７の内部空間６０内に配設されると、第２の厚さＹ（その最大値）は、スカート５６の環状境界５８を越えて延在するべきではない。Ｙが外側周辺５８を越えて延在する場合、クロージャ１４を容器本体６６に組み付けるプロセスを損なう可能性がある。
【００２６】
可撓性シール３０は、好ましくは箔を備えるが、（１つまたは複数の雰囲気ガス、たとえば、酸素または水蒸気に対するバリヤを提供する）他の可撓性バリヤ材または材料複合体を含んでもよく、オリフィスレデューサ２４の少なくとも一部に接着される、または、その他の場合には固定される。可撓性シール３０が金属箔を備える場合、任意の実施形態における箔は、たとえば、１０μｍ〜１００μｍ、任意選択的に１０μｍ〜８０μｍ、任意選択的に１０μｍ〜６０μｍ、任意選択的に２０μｍ〜５０μｍ、任意選択的に２０μｍ〜３０μｍの厚さを有してもよい。また、オリフィスレデューサ２４は硬質でもよく、半硬質でもよく、またはいくぶん可撓性でもよいが、しかしながら、可撓性シール３０よりは比較的硬質でなければならない（可撓性でないようにしなければならない）。さらに、可撓性シール３０は不正開封を防止しなければならず、それは、一度、（たとえば、剥離によって）取り外される、または穴を開けられると、容易に再密封、交換、または修復できないことを意味する。したがって、無傷の不正開封防止可撓性シール３０は、容器の内容物が、容器が使用者の管理下に入る前に不正に変更されていないことを使用者に保証する。損なわれた不正開封防止可撓性シール３０は、容器が事前に開けられたことを使用者に示す。
【００２７】
クロージャ１４がキャップ１７を含む場合、オリフィスレデューサ２４および不正開封防止シール３０は、キャップ１７の内部空間６０内に配設される。オリフィスレデューサ２４は、キャップの環状スカート５６の環状境界５８を越えて延在しない。任意選択的に、オリフィスレデューサ２４は、内部空間６０に圧入される。
【００２８】
図５は、容器開口部の縁に恒久的に固定されたオリフィスレデューサ２４を有する容器１０を示し、可撓性シール３０が、オリフィスレデューサ２４の少なくとも上面４６の一部に固定されて、その上に配設されている。示すように、可撓性シール３０は、オリフィスレデューサ２４の小出し開口部２６の部分に穴が開けられ、それにより、容器１０の小出し開口部２６、容器開口部２８、および内容物へのアクセスが提供される。穴を開ける代わりに、可撓性シール３０を小出し開口部２６から取り外してもよい（たとえば、剥離してもよい）ことが意図されている。任意選択的に、可撓性シール３０は、継目に取り囲まれた可撓性シールの部分の使用者による除去を容易にする、小出し開口部の輪郭に沿ったまたは小出し開口部内に配置された継目を含む。このような除去は、たとえば、可撓性シールのその部分の（たとえば、プルタブによる）剥離、可撓性シールのその部分の押し込み、可撓性シールのその部分の継目に沿った切断または穴開けによって達成されてもよい。
【００２９】
任意選択的に、図３、３Ａ、４Ｃ、５、および６に示すように、可撓性シール３０は、第１のシール部５０と第２のシール部５２とを含んでもよい。第１のシール部５０は、下向き係合面４８の真上の、オリフィスレデューサ２４の上面４６の少なくとも一部の領域の上に配設される。第２のシール部５２は小出し開口部を覆い、場合によっては、下向き係合面４８の真上以外のオリフィスレデューサ２４の上面４６の他の領域を覆ってもよい。（可撓性シール３０を構成する）第１のシール部５０と第２のシール部５２とは、たとえば図５に示すように、互いに接続して隣接してもよい。あるいは、可撓性シール３０の第１のシール部５０および第２のシール部５２は、たとえば図４Ｃに示すように隣接しない。図４Ｃの実施形態において、第１のシール部５０は任意選択的に、使用者によって無傷のまま残されてもよく、一方、第２のシール部５２は、小出し開口部２６にアクセスするために取り外してもよく、または穴を開けてもよい。第１のシール部５０は好ましくは、以下でさらに説明するように、オリフィスレデューサの下向き係合面４８を、容器１０の縁３１の上係合面４０に恒久的に固定、たとえば接着するように構成される。
【００３０】
たとえば図４Ａに示すようないくつかの実施形態に従って、オリフィスレデューサ２４は、オリフィスレデューサの下面の少なくとも一部に取り付けられる、または一体である活性ポリマー構成要素３２を含んでもよい。活性ポリマー構成要素３２は、１つまたは複数の活性薬剤が混入されたベースポリマーを備え、そのため、本明細書において、活性薬剤が混入されたポリマーまたは単に活性ポリマーと呼ばれてもよい。活性ポリマー構成要素３２の活性薬剤は、吸収材料、放出材料、および／または活性化材料を含んでもよい。活性薬剤のリストは、乾燥剤、脱酸素剤、臭気吸収材、エチレン吸収材、ＣＯ2吸収材、香り／匂い放出材、ＣＯ2放出材料、および／または栄養成分放出材料を含むが、これらに限定されるものではない。
【００３１】
吸収材料の例は、１つまたは複数の乾燥剤を含むが、これに限定されるものではない。乾燥剤の例は、モレキュラーシーブ、シリカゲル、粘土（たとえば、モンモリロナイト粘土）、特定の合成ポリマー（たとえば、乳幼児用おむつで使用されるもの）、およびデンプンを含む。
【００３２】
別の実施形態において、吸収材料は、（１）ニッケル、銅、アルミニウム、シリコン、はんだ、銀、金などの、これらに限定されない金属および合金、（２）銀メッキ銅、銀メッキニッケル、銀メッキガラスミクロスフェアなどの金属メッキ粒子、（３）ＢａＴｉＯ3、ＳｒＴｉＯ3、ＳｉＯ2、Ａｌ2Ｏ3、ＺｎＯ、ＴｉＯ2、ＭｎＯ、ＣｕＯ、Ｓｂ2Ｏ3、ＷＣ、溶融シリカ、フィルム状シリカ、非晶質溶融シリカ、ゾルゲルシリカ、ゾルゲルチタン酸塩、混合チタン酸塩、イオン交換樹脂、リチウム含有セラミック、中空ガラスミクロスフェアなどの無機物、（４）炭素、活性炭、カーボンブラック、ケッチェンブラック、ダイヤモンド粉末などの炭素系材料、ならびに、（５）ポリブタジエン、ポリシロキサンなどのエラストマ、および、半金属、セラミックでもよい。別の例において、吸収材料は酸化カルシウムでもよい。水分および二酸化炭素が存在する場合、酸化カルシウムは炭酸カルシウムに変換される。よって、酸化カルシウムは、二酸化炭素の吸収が必要である用途で吸収材料として使用してもよい。活性薬剤が混入された好ましいポリマーは、乾燥剤混入ポリマーである。
【００３３】
さらに別の実施形態において、活性化材料は、材料を活性化するために、特定の液体、蒸気、またはガスを必要とする材料を含んでもよく、活性化後、材料は所望の蒸気、液体、またはガスを放出する。
【００３４】
さらなる実施形態において、活性ポリマーは、２つの主成分であるベースポリマーおよび活性薬剤として製造されてもよい（すなわち、２相ポリマー）。別の実施形態において、活性ポリマーは、少なくとも３つの主成分として製造されてもよい（すなわち、３相ポリマー）。参照によりその全体が本明細書に組み込まれる、米国特許第５，９１１，９３７号明細書、同第６，２１４，２５５号明細書、同第６，１３０，２６３号明細書、同第６，０８０，３５０号明細書および同第６，１７４，９５２号明細書、同第６，１２４，００６号明細書、ならびに同第６，２２１，４４６号明細書は、３相混入ポリマーおよび３相混入ポリマーの製造方法を説明している。たとえば、３相乾燥剤ポリマーは、ベースポリマー（たとえば、ポリプロピレン、ポリエチレン、またはそれらの混合物）と、デシカント材（たとえば、モレキュラーシーブまたはシリカゲル）と、チャネリング剤（たとえば、エチレン−ビニルアルコール（ＥＶＯＨ）およびポリビニルアルコール（ＰＶＯＨ））とを含んでもよい。チャネリング剤は、ポリマー内に混入される乾燥剤に、水分が伝達可能である３相ポリマーの通路を形成することができる。
【００３５】
任意選択的に、活性ポリマー構成要素３２は、オリフィスレデューサ２４の下面に取り付けられる（たとえば、圧入または接着剤によって）。あるいは、活性ポリマー構成要素３２は、マルチショット成形プロセスでオリフィスレデューサ２４の下面に射出成形される。換言すれば、オリフィスレデューサ２４は、注入されるポリマー材料の第１のショットから成形型に形成されてもよく、活性ポリマー構成要素３２は、オリフィスレデューサ２４に当接する、注入される活性ポリマー材料の第２のショットから成形型に形成されてもよく、その結果、オリフィスレデューサ２４は、オリフィスレデューサ２４の下面に成形され、そのため、その下面と一体の活性ポリマー構成要素３２を有することになる。用途に応じて、活性ポリマー構成要素３２の厚さおよび形状は変化してもよい。図に示す例示的な実施形態において、活性ポリマー構成要素３２はオリフィスレデューサ２４より厚く、オリフィスレデューサ２４および小出し開口部２６の外縁のまわりで延在する。任意選択的に、活性ポリマー構成要素３２は、小出し開口部以外の、オリフィスレデューサ２４の下面の一部、ほぼ全体、または全体を占め、活性ポリマー構成要素３２は、小出し開口部２６をふさぐべきではない。
【００３６】
任意選択的に、図４Ｂに示すように、オリフィスレデューサ２４は、それと一体の、またはそれに取り付けられる活性ポリマー構成要素を有しない。
【００３７】
１つの任意選択の態様において、本発明は、クロージャ１４自体に関する。クロージャ１４は、上部５４から垂れ下がり、環状境界５８で終了する環状スカート５６を有する上部５４を有するキャップ１７を含む。キャップ１７は、キャップ１７のスカート５６内に内部空間６０を画定する。クロージャは、任意選択的に射出成形熱可塑性樹脂から製造される、ポリマーオリフィスレデューサ２４をさらに含む。オリフィスレデューサ２４は、容器、たとえば１０の縁および開口部の上に配設されるように構成される。オリフィスレデューサ２４は、下面４４と、上面４６と、下面４４から上面４６に通過させる少なくとも１つの予め形成された小出し開口部２６とを有する。下面４４は、縁（たとえば３１）の上係合面（たとえば４０）の上に配設されて、上係合面に恒久的に固定されるように構成される下向き環状係合面４８を含む。オリフィスレデューサ２４は、たとえば圧入によって、キャップ１７の内部空間６０内に配設され、オリフィスレデューサ２４の上面４６は、キャップ１７の上部５４に面する。オリフィスレデューサ２４は、キャップ１７の環状境界５８を越えて延在しない。クロージャ１４は、オリフィスレデューサ２４の上面４６の少なくとも一部の上に配設される可撓性の不正開封防止シール３０をさらに含む。シール３０は、第１のシール部５０と第２のシール部５２とを含む。第１のシール部５０は、下向き係合面４８の真上の、オリフィスレデューサ２４の上面４６の少なくとも一部の領域の上に配設される。第２のシール部５２は、少なくとも１つの小出し開口部２６を覆う。シール３０は、オリフィスレデューサ２４より可撓性である。第２のシール部５２は、少なくとも１つの小出し開口部２６にアクセスするために、少なくとも１つの小出し開口部２６から少なくとも一部において取り除かれる、および／または、貫通穴が開けられるように構成される。第１のシール部５０は、オリフィスレデューサ２４の下向き係合面４８を融解させて、その後、硬化させるように、誘導シーリングプロセス中に加熱されるように構成される材料（任意選択的に、箔）を備える。したがってこれにより、オリフィスレデューサ２４の係合面４８は、容器本体６６の縁３１の上係合面４０に恒久的に接着するように構成される。任意選択的に、第１のシール部５０は、オリフィスレデューサ２４の上面４６を越えて径方向に延在しない。
【００３８】
任意選択の態様において、本発明は、本発明によるクロージャ、たとえば、クロージャ１４を製造するためのプロセスに関する。プロセスは、（ａ）ポリマーオリフィスレデューサ２４に、オリフィスレデューサ２４の上面４６に固定される可撓性不正開封防止シール３０を提供するステップであって、可撓性気質明白シール３０がインモールドラベリングおよび／または誘導シーリングによってオリフィスレデューサの上面４６に事前に固定されている、提供するステップと、（ｂ）ステップ（ａ）の後、オリフィスレデューサ２４をキャップ１７の内部空間６０に圧入するステップとを含む。
【００３９】
クロージャ、たとえば、１４を製造するための代替的なプロセスは、（ａａ）ポリマーオリフィスレデューサ２４に、オリフィスレデューサ２４の上面４６に配設されるが最初は固定されない可撓性不正開封防止シール３０を提供するステップと、（ｂｂ）ステップ（ａａ）の後、オリフィスレデューサ２４をキャップの内部空間６０に圧入するステップと、（ｃｃ）可撓性不正開封防止シール３０をオリフィスレデューサ２４の上面４６に恒久的に固定するために、クロージャ１４に誘導シーリングを受けさせるステップとを含んでもよい。任意選択的に、ステップ（ａａ）および（ｂｂ）が実行された後、プロセスは、（ｄｄ）基部６１と、基部６１から延在して容器１０の開口部２８を囲む縁３１につながる１つまたは複数の側壁６４とを有する本体６６を備える容器１０を提供するステップであって、縁が、開口部２８から縁３１の外周４２まで延在する連続的な環状上係合面４０を有する、提供するステップと、（ｅｅ）下向き環状係合面４８が縁３１の上係合面４０の上に配設されるように、クロージャ１４を容器１０の縁３１および開口部２８の上に配置するステップとをさらに含んでもよい。上記のプロセスに従って、ステップ（ｃｃ）がステップ（ｅｅ）の後にのみ実行されて、それにより、クロージャ１４に誘導シーリングを受けさせることも、オリフィスレデューサ２４の下向き係合面４８を、容器１０の縁３１の上係合面４０に恒久的に接着する。
【００４０】
オリフィスレデューサ２４を容器１０の本体６６に恒久的に固定するために、さまざまな方法を使用することができる。上記のように、それを行う好ましい方法は、誘導シーリングによる方法である。誘導シーリングのプロセスは、上で［背景技術］において説明され、その説明は参照により本明細書に組み込まれる。手短に言えば、誘導シーリングは、（たとえば、電波によって生成される）電磁エネルギを利用して、金属部品に熱を発生させる。熱は、金属部品と接触するまたはその近くにあるポリマーまたは他の材料を融解させて、その後、固化させる。融解および固化のこのプロセスにより、金属部品と接触するまたはその近くにあるポリマーを、互いにまたは隣接面に対して恒久的に接着する。たとえば、誘導シーリングの使用により、可撓性シール３０が箔を備える場合、箔は加熱し、隣接するまたは近くのポリマー構成要素を融解させて、その後、そのような構成要素は固化する。
【００４１】
オリフィスレデューサ２４は、その外縁のまわりで、小さい厚み（たとえば、１ｍｍ未満）を有しなければならない（下向き係合面４８と上面４６との間）。この小さい厚みにより、第１のシール部５０（下向き係合面４８の上で近くにあるが、直接接触していない）が十分に加熱されたとき、下向き係合面４８を融解させることができる。次にこれにより、オリフィスレデューサ２４を容器１０の開口部２８の縁３１に恒久的に接着させる程度に、オリフィスレデューサ２４を融解させて、その後、固化させる。プロセスは、箔３０をオリフィスレデューサ２４の上面に接着する効果も有する。あるいは、インモールドラベリング射出成形プロセスにより、箔をオリフィスレデューサに恒久的に接着させてもよい。任意選択の内キャップ１８と可撓性シール３０との間に挿入される任意選択のワックス層２２（または、非ワックス代替物）およびパルプ裏材２０は、誘導シーリングを実施するときに、可撓性シール３０が内キャップ１８に接着することを防ぐ。
【００４２】
好適には、容器１０は、開口部２８のまわりでオリフィスレデューサ２４を（その上の可撓性シール３０で）容器１０に恒久的に固定する前に、内容物が予め充填される。任意選択的に、容器の内容物は、（ａ）複数の医薬用または機能性食品用錠剤、カプセル、ジェルキャップ、顆粒、または丸薬、あるいは、（ｂ）医薬用または機能性食品用粉末または液体、あるいは、（ｃ）錠剤、顆粒、粉末、または液体の形態の工業用または洗浄用化学薬品、あるいは、（ｄ）粉末、液体、または複数の固体単位の形態の食料品を含んでもよい。
【００４３】
上記のように、第１のシール部５０は好ましくは、オリフィスレデューサの下向き係合面４８を容器１０の縁３１の上係合面４０に恒久的に固定、たとえば接着するように構成される。任意選択的に、下向き係合面４８は、下向き係合面４８を融解させる程度に第１のシール部５０の少なくとも一部を加熱することによって、縁３１の上係合面４０に恒久的に接着される。上記のように、これを実現する好ましい方法は、誘導シーリングによる方法である。融解表面４８が冷えると、オリフィスレデューサ２４を縁３１の上係合面４０に恒久的に接着するだけ十分に硬化する。換言すれば、図６に示すように、ヒートシール６８は、オリフィスレデューサ２４を容器１０の本体６６に恒久的に接着するために、オリフィスレデューサ２４の下向き環状係合面４８と縁３１の上係合面４０との間に設けられる。好適には、下向き環状係合面４８は縁３１の上係合面４０に、それらの間に別の接着材料を用いずにヒートシール６８のみによって恒久的に接着される。接着材料は多くの場合、容器１０の内容物を劣化させるまたは汚染することがある溶剤を含有しているので、これは利点をもたらす。
【００４４】
独自に、この恒久的な接着は、不正開封防止シール３０を容器１０の縁３１の上係合面４０に直接接触させることなく達成されてもよい。換言すれば、好ましい実施形態において、不正開封防止シール３０は、容器の本体６６の任意の部分に恒久的に接着しない、または、その他の場合には、任意の部分とのヒートシールを形成しない。むしろ、本発明は、シール３０自体が縁３１に固定されることなくオリフィスレデューサ２４を縁３１に恒久的に固定するために、加熱要素として不正開封防止シール３０（その第１の部分）を使用することに基づく。任意選択的に、下向き環状係合面４８は、縁３１の上係合面４０全体の上に配設されて、それに固定されるように構成される。任意選択的に、可撓性不正開封防止シール３０は、誘導シーリングによって、または、射出成形プロセス中のインモールドラベリングによって、オリフィスレデューサ２４の上面４６の少なくとも一部に固定される。
【００４５】
好適には、下向き環状係合面４８を縁３１の上係合面４０に恒久的に固定する以外に、オリフィスレデューサ２４を容器１０の本体６６に恒久的に固定する他の構造または手段は存在しない。たとえば、クロージャは好ましくは、（ａ）任意選択的に、スナップフィット、締まり嵌め、または螺合によって、縁の外部および／または容器の首部に固定されるのに適した下向き突出スカート、ならびに／あるいは、（ｂ）任意選択的に、スナップフィット、締まり嵌め、または螺合によって、縁の内部および／または容器の首部に固定されるのに適した下向き突出ストッパを含まない。これにより、オリフィスレデューサ２４を容器本体６６に恒久的に固定する組立プロセスは、オリフィスレデューサ２４を容器本体６６に圧入する、螺合する、はめ込むなどする必要がないという点で簡略化される。
【００４６】
１つの態様において、本発明は、容器を充填および密封するためのプロセスに関する。プロセスは、基部と、基部から延在して開口部につながる１つまたは複数の側壁とを有する本体を備える容器を提供することを含む。プロセスは、開口部を通して容器に内容物を充填することをさらに含み、そのような内容物は、任意選択的に、複数の医薬用または機能性食品用錠剤またはカプセル、あるいは、食品、医薬品、または化学業界の固体または液体製品の形態である。容器を内容物で充填した後に、プロセスが、容器の開口部のまわりに射出成形ポリマーオリフィスレデューサを恒久的に固定することと、本体の開口部の少なくとも一部を覆うこととをさらに含み、オリフィスレデューサが、下面と、上面と、下面から上面への通路を提供し、本体の開口部へのアクセスを提供する少なくとも１つの小出し開口部とを有し、少なくとも１つの小出し開口部は、本体の開口部より小さい領域である。プロセスは、頂部に置かれておよび／またはオリフィスレデューサの上面の少なくとも一部に固定される可撓性の不正開封防止シールを設けることと、少なくとも１つの小出し開口部を覆うこととをさらに含み、ここで、シールはオリフィスレデューサより可撓性であり、シールは、少なくとも１つの小出し開口部にアクセスするために、少なくとも１つの小出し開口部から少なくとも一部において取り除かれる（たとえば、剥離によって）、かつ／または、貫通穴が開けられるのに適している。前述のプロセスにより、比較的安価で容易な方法で、恒久的なオリフィスレデューサおよび不正開封防止シールを有する予め充填された容器を達成することが可能になる。このプロセスは、独自のことでありかつ有利なことには、容器の開口部の縁の内部または外部に固定するのに適した、オリフィスレデューサから突出するスカートの使用を必要としない。このプロセスはまた、有利なことには、オリフィスレデューサを容器開口部に圧入するために必要な許容差を達成することを必要としない。
【００４７】
任意選択の態様において、本発明は、容器１０を充填および密封するためのプロセスに関する。プロセスは、（ａ）基部６１と、基部６１から延在して容器１０の開口部２８を囲む縁３１につながる１つまたは複数の側壁６４とを有する本体６６を備える容器１０を提供するステップであって、縁３１が、開口部２８から縁３１の外周４２まで延在する連続的な環状上係合面４０を有する、提供するステップと、（ｂ）開口部２８を通して容器に内容物を充填するステップと、（ｃ）ステップ（ｂ）の後、下向き環状係合面４８が縁３１の上係合面４０の上に配設されるように、クロージャ１４を容器の縁３１および開口部２８の上に配置するステップと、（ｄ）ステップ（ｃ）の後、オリフィスレデューサ２４を容器１０に恒久的に接着するために、オリフィスレデューサ２４の下向き環状係合面４８と縁３１の上係合面４０との間にヒートシール６８を形成するステップとを含む。任意選択的に、ヒートシール６８は、第１のシール部５０の少なくとも一部を加熱することによって、たとえば、誘導シーリングによって形成され、それによって、下向き係合面４８を融解させ、その後、十分に硬化させて、オリフィスレデューサ２４を縁３１の上係合面４０に恒久的に接着する。図７を参照すると、前述のプロセスのステップ（ｃ）は、ふた付け機７０によって実行されてもよく、その後、容器１０は、任意選択的にコンベヤ７２によって、ステップ（ｄ）を実行する誘導シーラー７４へ移送される。このプロセスによって、不正開封防止シール３０は任意選択的に、容器１０の縁３１の上係合面４０に直接接触しない。
【００４８】
任意選択的に、オリフィスレデューサは、少なくとも１つの小出し開口部を含む。したがって、いくつかの実施形態において、オリフィスレデューサは、２つ以上の小出し開口部を有してもよい。
【００４９】
本発明は詳細に、その特定の実施例を参照して説明されたが、さまざまな修正および変更がその精神および範囲を逸脱しない範囲でその中で行うことができることは、当業者には明らかであろう。
【図１】
2018525287.tif 000003
【図２】
2018525287.tif 000004
【図３】
2018525287.tif 000005
【図３Ａ】
2018525287.tif 000006
【図４Ａ】
2018525287.tif 000007
【図４Ｂ】
2018525287.tif 000008
【図４Ｃ】
2018525287.tif 000009
【図５】
2018525287.tif 000010
【図６】
2018525287.tif 000011
【図７】
2018525287.tif 000012
【国際調査報告】
2018525287.tif 000013
2018525287.tif 000014
2018525287.tif 000015